(57)【要約】【課題】  ダビング元のビデオカセットがコピー不可のものである場合に媒体の無駄を招くことのない複合録画装置を提供する。  【解決手段】  ビデオカセット再生装置（３１）と他の媒体への記録装置（３７）を備えた複合録画装置において、ビデオカセットの駆動と再生動作を制御するビデオカセット制御部（１３）と、記録装置の駆動および録画、再生動作を制御する記録装置制御部（１４）と、ビデオカセットの再生映像信号からそのコピー可否を判定する判定部（２１，２２）と、この判定部でコピー可と判定されたときはビデオカセットを停止させ、記録装置の録画準備を行った後にビデオカセットと記録装置とを同期させてダビング動作を行い、コピー不可と判定されたときはダビング動作を終了させるようビデオカセット／記録装置制御部を制御するダビング制御部（２０，２３，２４，２５）とを備える。コピー可のときには必要量だけビデオカセットを巻き戻すようにしても良い。【選択図】  図１
2005267786.tif 000002
【特許請求の範囲】
【請求項１】
少なくともビデオカセット再生装置と他の媒体への記録装置を備えた複合録画装置において、
前記ビデオカセットの駆動と少なくとも再生動作を制御するビデオカセット制御部と、
前記記録装置の駆動および録画、再生動作を制御する記録装置制御部と、
前記ビデオカセット制御部により前記ビデオカセットを再生させたときに検出される映像信号からそのコピー可否を判定する判定部と、
前記判定部でコピー可と判定されたときは前記ビデオカセットを停止させた後に前記記録装置の録画準備を行った後に前記ビデオカセット再生装置と前記記録装置とを同期させてダビング動作を行い、前記判定部でコピー不可と判定されたときは前記ビデオカセットの走行を停止させてダビング動作を終了させるよう前記ビデオカセット制御部および前記記録装置制御部を制御するダビング制御部と
を備えたことを特徴とする複合録画装置。
【請求項２】
前記判定部の判定動作は無記録部分通過後５秒以下の時間で完了することを特徴とする、請求項１に記載の複合録画装置。
【請求項３】
少なくともビデオカセット再生装置と他の媒体への記録装置を備えた複合録画装置において、
前記ビデオカセットの駆動および少なくとも再生動作を制御するビデオカセット制御部と、
前記記録装置の駆動および録画、再生動作を制御する記録装置制御部と、
前記ビデオカセット制御部により前記ビデオカセットを再生させたときに検出される映像信号からそのコピー可否を判定する判定部と、
前記判定部でコピー可と判定されたときは前記ビデオカセットを停止させた後にテープを必要量巻き戻し、前記記録装置の録画準備を行った後に、前記ビデオカセット再生装置と前記記録装置とを同期させてダビング動作を行い、前記判定部でコピー不可と判定されたときは前記ビデオカセットの走行を停止させてダビング動作を終了させるよう前記ビデオカセット制御部および前記記録装置制御部を制御するダビング制御部と
を備えたことを特徴とする複合録画装置。
【請求項４】
前記駆動制御部は、前記判定部でコピー不可と判定された場合に前記ビデオカセットを再生のため走行した分だけ巻き戻した後、走行を停止させるものであることを特徴とする請求項３に記載の複合録画装置。
【請求項５】
前記巻き戻しの必要量は、無記録部分に達するまでの時間であることを特徴とする請求項３に記載の複合録画装置。
【請求項６】
前記無記録部分に達するまでの時間は５秒以内の時間であることを特徴とする請求項５に記載の複合録画装置。
【発明の詳細な説明】
【技術分野】
【０００１】
本発明は複合録画装置に関するもので、特にビデオカセットレコーダを機器等に適用されるものである。
【背景技術】
【０００２】
DVD録画機器とビデオカセット録画機器（以下ＶＣＲ録画機器という）との複合機等、複数の電子機器を組み合わせた複合録画装置が市場に多数登場している。このような複合録画装置の代表的なものはＤＶＤ録画機器とＶＣＲ録画機器とを複合させた物で、双方向録画を可能としている。
【０００３】
このような複合録画装置を用いて複製を作成しようとする場合、市販ソフトのようにコピー禁止のものについては複製を作成しないようにする必要がある。
【０００４】
ＤＶＤソフトの場合には最初に読み出すＴＯＣ部分によりただちにコピー禁止のものかどうかが判明し、コピー動作を行わないような制御が可能であるが、ビデオカセットの場合、テープをある程度走行してみないとコピー禁止信号が含まれているかどうかを判定することができない。しかもテープの場合には最初に無記録部分があるため、判定までに時間がかかる。
【０００５】
このため、従来のＶＣＲ録画機器からＤＶＤ録画機器へのダビングの場合、先にダビング動作を開始し、コピー信号を検出した時点で録画を停止するか、その時点で全画面黒の情報を記録するようにしている。
【特許文献１】特開平８−１５３３４２号公報
【特許文献２】特開２００２−１７６６１２号公報
【発明の開示】
【発明が解決しようとする課題】
【０００６】
しかしながら、このようなダビングは録画できないＤＶＤ媒体を大量に作成してしまうことになり、ユーザの負担を増加させることになる。
【０００７】
したがって、本発明はダビング元のビデオカセットがコピー不可のものである場合に媒体の無駄を招くことのない複合録画装置を提供する。
【課題を解決するための手段】
【０００８】
本発明にかかる複合録画装置の一態様によれば、
少なくともビデオカセット再生装置と他の媒体への記録装置を備えた複合録画装置において、
前記ビデオカセットと前記記録装置を駆動させる駆動制御部と、
前記ビデオカセットを再生させてそのコピー可否を判定する判定部とを備え、
前記駆動制御部は、前記判定部でコピー可と判定されたときは前記ビデオカセットを停止させた後に前記記録装置の録画準備を行い、準備完了後に前記ビデオカセット再生装置と前記記録装置とを同期させてダビング動作を行い、前記判定部でコピー不可と判定されたときは前記ビデオカセットの走行を停止させて終了することを特徴とする。
【０００９】
また、本発明にかかる複合録画装置の他の態様によれば、
少なくともビデオカセット再生装置と他の媒体への記録装置を備えた複合録画装置において、
前記ビデオカセットと前記記録装置を駆動させる駆動制御部と、
前記ビデオカセットを再生させてそのコピー可否を判定する判定部とを備え、
前記駆動制御部は、前記判定部でコピー可と判定されたときは前記ビデオカセットを停止させた後に必要分巻き戻し、前記記録装置の録画準備を行って、その準備完了後に前記ビデオカセット再生装置と前記記録装置とを同期させてダビング動作を行い、前記判定部でコピー不可と判定されたときは前記ビデオカセットの走行を停止させて終了することを特徴とする。
【発明の効果】
【００１０】
本発明にかかる複合録画装置によれば、ビデオカセットから他の記録媒体へのダビングを行う際、まずビデオカセットを走行させてコピーの可否を判定し、コピー可の場合にダビングを行うようにしているので、ダビング先の媒体を無駄にすることがない。
【発明を実施するための最良の形態】
【００１１】
以下、図面を参照して本発明の実施例を詳細に説明する。
【００１２】
図１は本発明にかかる複合録画装置のダビング動作に関連する構成と機能の概略を示すブロック図である。
【００１３】
操作部１は、例えばＤＶＤ録画装置のパネル面に設けられたキーおよびリモコンの受信部を代表している。最も多用されるのは赤外線信号を用いたリモコンであり、操作部１は、装置のフロントパネル面に設けられたキーによりキー入力あるいはリモコン信号の受信によりその信号を制御部１０中のキー検出部１１に送る。図１において破線で囲まれた制御部１０はマイクロコンピュータの機能として実現される。
【００１４】
キー検出部１１では、操作部１から受信された信号を翻訳あるいは解釈してどの操作信号であるかを検出し、ユーザ操作管理部１２に送る。
【００１５】
ユーザ操作管理部１２では受け取った操作信号に応じて、必要な操作処理部を呼び出す。
【００１６】
ここでは、ダビング操作を管理・処理するダビング操作処理部２０に対してダビング開始指示・ダビング終了指示を与えるようになっている。以下に説明するダビング操作処理部２０は制御部１０内で行われる機能あるいはプログラムの内容をブロックとして表現したものである。
【００１７】
ダビング操作処理部２０によって、ＶＣＲユニット３１を介してビデオカセット３２の駆動と信号入出力を制御するＶＣＲ制御部１３と、ＤＶＤドライブ３７を介してＤＶＤ３８の駆動と信号入出力を制御するＤＶＤ制御部14と、各種のメッセージ情報を映像系出力回路３９を介してモニタ４１に表示させるＯＳＤ（On Screen Display）15等が制御される。
【００１８】
以下、ビデオカセットからＤＶＤにダビングを行う場合を例にとって、本発明にかかる複合録画装置の動作を詳細に説明する。
【００１９】
ＶＣＲユニット３１はここでは録再型となっているが、本発明はビデオカセットから他の媒体へのダビングに関するものであるので、再生専用のものであっても良い。
【００２０】
ＶＣＲユニット３１からの信号によりＶＣＲ制御部１３はビデオカセット３２の挿入の有無、録画禁止制御用爪の存在を検出するとともに、ビデオカセットの録画および再生と、走行および停止などの駆動を制御する。
【００２１】
一方、ＤＶＤ制御部１４はＤＶＤドライブ３７からの信号により、ＤＶＤディスクの有無、ＤＶＤの種類、録画の可否（ファイナライズの有無）、残量などの情報を得るとともにその録画および再生と、回転、停止などの駆動を制御する。
【００２２】
メディア判別部２１はＶＣＲ制御部１３およびＤＶＤ制御部１４からの信号を受信してダビング元、ダビング先にセットされたメディアがダビングに適したものとなっているかを判定し、ダビングが可能なメディアがセットされているときは“メディアＯＫ”信号がコピー情報判別部２２に送られる。
【００２３】
コピー情報判別部２２はダビング元のビデオカセット３２にコピー禁止信号が含まれているかどうかを判定するため、まずＶＣＲ制御部１３に対してＶＣＲユニットがテープを駆動するように指示するとともに、ＶＣＲユニット３１で読み出された映像信号をＶＣＲ再生映像信号処理部３３により処理する。このとき、無記録部分に続き記録部分が再生されるが、この映像信号（再生信号）にコピー管理信号、例えば、マクロビジョン（Ｒ）（Ｍａｃｒｏｖｉｓｉｏｎ）やＣＧＭＳ等が含まれている場合はこれらは抽出され、このコピー管理信号は、コピー情報判別部２２とともに実行制御部２４に送られる。なお、コピー管理信号は、通常、映像信号の垂直同期信号帰線区間（ＶＢＩ）に重畳される。
【００２４】
コピー情報判別部２２によりコピー管理信号がコピー可であると判定されたときには、この“コピーＯＫ”信号をユニット準備部２３に送る。
【００２５】
ユニット準備部２３はＶＣＲ制御部１３およびＤＶＤ制御部１４に対してダビングの準備を行うように指示する。この準備の中には後述するビデオカセットを停止させて巻き戻すことが含まれる。ユニット準備部２３での準備が完了すると、完了信号が実行制御部２４に送られる。
【００２６】
実行制御部２４は、ダビングを開始するようにＶＣＲ制御部１３およびＤＶＤ制御部１４に指示するとともに、これらのダビング実行中の制御を行う。すなわち、ＶＣＲ制御部１３からはＶＣＲユニット３１に対して再生動作、ＤＶＤ制御部１４からはＤＶＤドライブ３７に対して録画動作が指示されるとともに、ＯＳＤへのガイドの表示を制御する。
【００２７】
なお、請求項１および３におけるダビング制御部はダビング操作処理部中のユニット準備部２３、実行制御部２４、終了制御部２５に相当する。
ダビングの実行が指示されることによりＶＣＲユニット３１から出力された映像信号Ｖおよび音声信号ＡはそれぞれＶＣＲ再生映像信号処理部３３およびＶＣＲ再生音声信号処理部３４で処理された後、それぞれＤＶＤ記録映像信号処理部３５およびＤＶＤ記録音声信号処理部３６によりビットストリーム信号としてＤＶＤドライブ３７に供給され、録画が行われる。
【００２８】
この録画動作中、ＶＣＲ再生映像信号処理部３３およびＶＣＲ再生音声信号処理部３４からの出力信号はそれぞれ映像信号出力処理部３９および音声信号出力処理部４０を経てモニタ４１に表示される。また、ダビング操作処理部から出力された種々のメッセージ、例えば「メディアがセットされていません」「コピー禁止です」などのメッセージはＯＳＤ処理部１５により表示用の映像信号に処理され、映像信号処理部３９を介してモニタ４１に表示される。
【００２９】
ＤＶＤディスクへの記録が終了したとき、ビデオカセットのテープが正常あるいは異常な原因で停止したときなどの場合、実行制御部２４から終了制御部２５にダビング終了信号が与えられると、終了制御部２５からＶＣＲ制御部１３およびＤＶＤ制御部１４に終了信号が送られ、ＶＣＲユニット３１およびDVDドライブ３７は停止される。また、コピー管理情報がコピー情報判別部２２でコピー禁止信号と判定されたとき、およびメディア判定部２１でメディアがダビングに適さないと判定されたときにも終了制御部２５にこれらの禁止信号が送られ、終了制御部２５からＶＣＲ制御部１３およびＤＶＤ制御部１４に終了信号が送られ、ＶＣＲユニット３１およびDVDドライブ３７は停止される。
【００３０】
図２は以上説明した複合録画装置におけるダビング制御の手順を示したフローチャートである。
【００３１】
ここではダビング元のビデオカセット３１とダビング先のＤＶＤメディアはセットされているものとする。
【００３２】
まずダビングキーが押され、ＶＣＲからＤＶＤへのダビングが指令されると（ステップＳ１０１）、メディアが判定される（ステップＳ１０２）。
【００３３】
ダビング元、ダビング先ともメディアが正常であるときにはビデオカセットが再生される（ステップＳ１０３）。記録部分に達した後、その再生信号はＶＣＲ再生映像信号処理部３３によりコピー管理情報としてコピー情報判別部２２に送られ、マクロビジョン（Ｒ）等のコピー禁止信号が含まれていないかが判定される（ステップＳ１０４）。
【００３４】
コピーが禁止されていない場合には、ユニット準備部２３によりＶＣＲ制御部１３に対してはビデオカセットの走行一時停止が指示され（ステップＳ１０５）、ＤＶＤ制御部１４に対してはＤＶＤ記録の準備が指示される（ステップＳ１０７）。
【００３５】
以上の準備が完了すると、実行制御部２４によりダビング開始の指示がＶＣＲ制御部１３およびＤＶＤ制御部１４に与えられ、ダビングが開始される（ステップＳ１０９）。
【００３６】
一方、コピー情報判別部２２でコピー禁止信号が検出されたときには（ステップＳ１０４のＮＧ）、ＯＳＤ処理部１５により違法コピーである旨の警告表示をモニタ４１上に表示させ（ステップＳ１１１）た後、ＶＣＲの走行を停止させ（ステップＳ１１３）、ダビング動作を終了する（ステップＳ１１５）。
【００３７】
また、ステップＳ１０２でメディアが録画可能なものでない場合には、メディアの準備がされていない旨の警告表示を行い（ステップＳ１２１）、動作を終了する（ステップＳ１１５）。
【００３８】
図３は複合録画装置におけるダビング制御の他の実施例の手順を示したフローチャートである。このフローチャートは図２と類似しており、同じ手順には同じステップ番号を付与している。
【００３９】
図２と異なる点は、ステップＳ１０４でコピーが禁止されていないときは、ビデオカセットの走行が一時停止された（ステップＳ１０５）後、再生した分が巻き戻される（ステップＳ１０６）点である。また、コピー禁止信号が検出されたとき（ステップＳ１０４）にも警告表示（ステップＳ１１１）の後にビデオカセットを再生分だけ巻き戻している（ステップＳ１１２）。
【００４０】
このような巻き戻しは、ダビング開始位置まで戻すものであり、通常５秒以内、好ましくは２秒程度で十分であるが、テープの開始端まで巻き戻すようにしても良い。
【００４１】
図２に示した実施例では、コピー禁止信号検出のために走行が進んだ位置からダビングが行われ、記録信号の一部が欠けることが避けられないが、この実施例では記録信号の欠けは生じない。
【００４２】
なお、ビデオカセットがコピー禁止となっている場合にはダビング動作は行わないので、再生分の巻き戻しを行う必要は必ずしもない。
【００４３】
以上の実施形態では、ビデオカセットからＤＶＤへのダビングを想定したが、複合録画装置においてダビング先がディジタル録画機器であれば、そのメディアの如何にかかわらず本発明を適用することができる。すなわち、ＣＤ−Ｒ、ＣＤ−Ｒ／Ｗ、ＤＶＤ±Ｒ、ＤＶＤ±Ｒ／Ｗ、ブルーレイＤＶＤなどの光ディスク、ハードディスクなどの磁気ディスク、メモリモジュールなどの各種メディアを用いるものに適用することができる。
【図面の簡単な説明】
【００４４】
【図１】本発明にかかる複合録画装置の一実施例の構成を示すブロック図である。
【図２】図１におけるダビングの制御の一例を示すフローチャートである。
【図３】図１におけるダビングの制御の他の例を示すフローチャートである。
【符号の説明】
【００４５】
１  操作部
１０  制御部
１１  キー検出部
１２  ユーザ操作管理部
１３  ＶＣＲ制御部
１４  ＤＶＤ制御部
１５  ＯＳＤ処理部
２０  ダビング操作処理部
２１  メディア判別部
２２  コピー情報判別部
２３  ユニット準備部
２４  実行制御部
２５  終了制御部
３１  ＶＣＲユニット
３２  ビデオカセット
３３  ＶＣＲ再生映像信号処理部
３４  ＶＣＲ再生音声信号処理部
３５  ＤＶＤ記録映像信号処理部
３６  ＤＶＤ記録映像信号処理部
３７  ＤＶＤドライブ
３８  ＤＶＤメディア
３９  映像信号出力処理部
４０  音声信号出力処理部
４１  モニタ
【図１】
2005267786.tif 000003
【図２】
2005267786.tif 000004
【図３】
2005267786.tif 000005